(57)【要約】【課題】位相補償板を有する液晶プロジェクタにおいて、小スペースでも設置可能で、位相補償板に傷をつけることなく、作業が容易に取り付けることができる位相補償板調整保持装置を提供する【解決手段】本発明の位相補償板調整保持装置は、液晶パネルの黒表示モードにおける直線偏光に対する残留位相差を補償する位相補償板と、この位相補償板を固定する枠体部と該枠体部の外部に位相補償調整の回転軸の支点となる２つの折り曲げリブを形成した位相補償板金具と、出射偏光板を固定するとともに少なくとも２箇所に前記折り曲げリブに勘合し前記位相補償板金具を保持する溝部を形成した第１の保持金具と、液晶パネルユニットを固定するとともに前記第１の保持金具を勘合保持する第２の保持金具とを具備する。【選択図】図１
2010054657.tif 000002
【特許請求の範囲】
【請求項１】
液晶パネルの黒表示モードにおける直線偏光に対する残留位相差を補償する位相補償板と、
前記位相補償板を固定する枠体部と該枠体部の外部に位相補償調整の回転軸の支点となる２つの折り曲げリブを形成した位相補償板金具と、
出射偏光板を固定するとともに少なくとも２箇所に前記折り曲げリブに勘合し前記位相補償板金具を保持する溝部を形成した第１の保持金具と、
液晶パネルユニットを固定するとともに前記第１の保持金具を所定位置で勘合保持する第２の保持金具と、
を具備する位相補償板調整保持装置。
【請求項２】
前記第１の保持金具に出射偏光板の取り付け面に対して垂直な平面部を設け、第２の保持金具の前記平面部と相対する面である受け部に対して、前記平面部が外側となるように構成したことを特徴とする請求項１に記載の位相補償板調整保持装置。
【請求項３】
前記平面部と前記受け部の両部に貫通孔を設け、前記第１の保持金具と前記第２の保持金具とを所定位置で勘合させた状態で、両部の貫通孔の中心が概略一致するように構成したことを特徴とする請求項１に記載の位相補償板調整保持装置。
【請求項４】
組み立て後に前記両部の貫通孔に接着剤を充填することで固定することを特徴とする請求項３に記載の位相補償板調整保持装置。
【発明の詳細な説明】
【技術分野】
【０００１】
本発明は、液晶ライトバルブ上に形成される画像を照明光で照射し、投写レンズによりスクリーン上に拡大投写する投写型表示装置に関するものであり、特に、液晶パネルの残留位相を補償する位相補償板の取り付け構造に関するものである。
【背景技術】
【０００２】
液晶ライトバルブを用いた投写型表示装置（液晶プロジェクタ）のコントラスト比の低下要因として液晶パネルへの光入射角依存性がある。これは、入射角度に応じた一方向の屈折率が増加することによる複屈折が生じ、液晶セルに入射した直線偏光は複屈折により位相差を生じて楕円偏光となり、その一部が出射側の偏光板を透過する。したがって、黒表示モードでの光漏れとなり、コントラスト比が低下する。
【０００３】
また、黒表示モードでの液晶分子の配向は液晶セル基板面から厚み方向に連続的に変化したハイブリッド配向となっており、液晶セルの法線方向から入射する光についても複屈折を生じる。
【０００４】
上記の液晶プロジェクタのコントラスト比の低下を防止するために、液晶パネルと出射偏光板の間に位相補償板を配置して調整する技術がある。
【０００５】
図７は、従来技術に係る液晶プロジェクタの光学系レイアウトを示す構成図である。図７において、位相補償板５７，５８，５９は、液晶パネル６０，６１，６２と出射側偏光板６３，６４，６５の間に設置されている（例えば特許文献１を参照）。
【特許文献１】特開２００２−１３１７５０号公報
【発明の開示】
【発明が解決しようとする課題】
【０００６】
位相補償板は光軸に対し面角度の調整が必要であるため、一般に一枚の金具で構成した調整用の金具に取り付けられ、液晶パネルと出射偏光板の間に入れられる。
【０００７】
しかしながら、かかる空間は非常に狭く、設置にはこの小さな隙間に入れる必要があり、位相補償板に傷が付きやすく、作業が困難である。さらに、位相補償板は、出射偏光板もしくは液晶パネルよりも大きな幅が必要であり、金具が入れにくく、さらに作業性が悪い。
【０００８】
本発明は、上記課題を解決するもので、小スペースでも設置可能で、位相補償板に傷をつけることなく、作業が容易に取り付けることができる位相補償板調整保持装置を提供することを目的とする。
【課題を解決するための手段】
【０００９】
この課題を解決するために、本発明の位相補償板調整保持装置は、液晶パネルの黒表示モードにおける直線偏光に対する残留位相差を補償する位相補償板と、この位相補償板を固定する枠体部と該枠体部の外部に位相補償調整の回転軸の支点となる２つの折り曲げリブを形成した位相補償板金具と、出射偏光板を固定するとともに少なくとも２箇所に前記折り曲げリブに勘合し前記位相補償板金具を保持する溝部を形成した第１の保持金具と、液晶パネルユニットを固定するとともに前記第１の保持金具を所定位置で勘合保持する第２の保持金具とを具備するものである。
【発明の効果】
【００１０】
以上のように構成することで、位相補償板金具を保持した第１の保持金具を第２の保持金具に取り付けることで、小さな隙間に位相補償板を入れる作業がなくなるため、小スペース化が可能となり、位相補償板金具を傷つけることなく作業性が良く取り付けることができる。
【発明を実施するための最良の形態】
【００１１】
以下、本発明を実施するための最良の形態について、図面を参照しながら説明する。
【００１２】
（実施の形態１）
図１は、本発明の実施形態１における位相補償板調整保持装置の外観斜視図であり、図１（ａ）は取り付け後の外観斜視図、図１（ｂ）は取り付け前状態の分解斜視図を示す。
【００１３】
図１において、位相補償板調整保持装置１０は、液晶パネルユニット７０内の液晶パネル７１と出射偏光板６０の間に配置され、位相補償板２０と、位相補償板金具３０と、第１の保持金具に相当する出射偏光板金具４０と、第２の保持金具に相当する液晶パネル金具５０で構成される。
【００１４】
また、これらの部材の組立てにおいては、位相補償板２０は位相補償板金具３０に、出射偏光板６０は出射偏光板金具４０に、液晶パネルユニット７０は液晶パネル金具５０に取り付けられる。
【００１５】
以下、それぞれの部材の構成や機能、及び、その特徴について詳細な図を用いて説明する。
【００１６】
図２は、位相補償板金具３０と位相補償板２０の取り付け状態における外観斜視図であり、図２（ａ）は取り付け後の外観斜視図、図２（ｂ）は取り付け前状態の分解斜視図を示す。
【００１７】
位相補償板２０は、液晶パネルの黒表示モードにおける複屈折による直線偏光に対する残留位相差を補償するものである。そのあおり角の調整は、光軸に直角で入射出射の偏光板の偏向角に対して４５度の軸を、調整回転軸３５として行われる。
【００１８】
位相補償板金具３０には、位相補償板２０を固定する枠体部３１と、該枠体部３１の外部に位相補償調整の回転軸の支点となる２つの折り曲げリブ３２を形成している。また、あおり角調整作業のために調整取っ手３３を設けている。
【００１９】
なお、位相補償板２０は位相補償板金具３０には接着にて固定される。
【００２０】
次に、図３は、出射偏光板金具４０と出射偏光板６０の取り付け状態における外観斜視図であり、図３（ａ）は取り付け後の外観斜視図、図３（ｂ）は取り付け前状態の分解斜視図を示す。
【００２１】
出射偏光板６０は、液晶パネル７１の出射側の偏光板であり、出射偏光板金具４０には両面テープで固定される。
【００２２】
出射偏光板金具４０は、出射偏光板６０を固定するとともに、少なくとも２箇所に位相補償板金具３０の折り曲げリブ３２に勘合して位相補償板金具３０を保持する溝部を形成されている。本実施形態においては、溝部として上下左右計４箇所にＶ溝部４１が形成されている。また、出射偏光板金具４０には、液晶パネル金具５０にスライドして取り付けることのできるように切込み４２を左右に設ける。
【００２３】
次に、図４は出射偏光板６０を取り付けた出射偏光板金具４０に、位相補償板２０を取り付けた位相補償板金具３０を仮置きした状態の斜視図を示す。
【００２４】
位相補償板２０を取り付けた位相補償板金具３０を、図中のＡ部に示すように出射偏光板金具４０の対角のＶ溝部４１に折り曲げリブ３２を勘合させて取り付ける。これにより位相補償板金具３０が完全に固定するまでにずれて落ちないようにするために仮固定されるとともに、２箇所のＶ溝部４１と折り曲げリブ３２の勘合部を結ぶ軸が調整回転軸３５となり、位相補償板２０の４５度方向の調整が可能となるものである。
【００２５】
なお、位相補償板２０は逆の対角でも取り付けることができ、これにより、液晶パネル７１のラビング方向に合わせて調整が可能になる。
【００２６】
次に図５は、液晶パネル金具５０と液晶パネルユニット７０の取り付け状態における外観斜視図であり、図５（ａ）は取り付け後の外観斜視図、図５（ｂ）は取り付け前状態の分解斜視図を示す。
【００２７】
液晶パネルユニット７０は液晶パネル金具５０にビス止めにて取り付けられる。また、液晶パネル金具５０は、出射偏光板金具４０をスライドして取り付けることができる様に受け部５１が形成されており、出射偏光板金具４０をスライドして取り付ける事が可能となっている。
【００２８】
また、この受け部５１は、出射偏光板金具４０を取り付ける作業時に、持ちやすい様に最外部が平面になるように形成されており、これを持って液晶パネル金具５０にスライドして取り付けることができ、非常に作業性の面で効果の高い形状となっている。
【００２９】
次に図６は、位相補償板金具を仮置きした出射偏光板金具を、液晶パネル金具に取り付ける状態における外観斜視図であり、図６（ａ）は取り付け後の外観斜視図、図６（ｂ）は取り付け前状態の分解斜視図を示す。
【００３０】
以上のように組み立てられた、出射偏光板６０を取り付けた出射偏光板金具４０を、位相補償板２０を取り付けた位相補償板金具３０を仮置きした状態保ちながら、液晶パネル金具５０にスライドして取り付ける。
【００３１】
出射偏光板金具４０と液晶パネル金具５０とを固定する場合、接着剤で固定するが、これらを固定する際に液晶パネル金具５０の接着孔５２と出射偏光板金具４０の接着孔４４とに接着剤を塗布することができる。
【００３２】
なお、液晶パネルユニット７０を下にした状態にすると、接着部は液晶パネル金具５０が下で出射偏光板金具４０が上に構成され、下の液晶パネル金具５０の接着孔５２は上の出射偏光板金具４０の接着孔４４よりも小さくしている。これにより、出射偏光板金具４０を液晶パネル金具５０にスライドして取り付ける際に、出射偏光板金具４０をスライドして取り付ける際に持つ平面部４３に接着孔４４があるため、取り付け時の確認用としても活用できる。
【００３３】
以上のように仮固定された本実施の形態の位相補償板調整保持装置は、コントラストのピーク値を検出するために位相補償板２０を取り付けた位相補償板金具３０の調整取っ手３３を前後方向に動かすことでピーク値の検出をすることができ、ピーク値を検出した状態で液晶パネル金具５０の接着孔５２と出射偏光板金具４０の接着孔４４を接着し、出射偏光板金具４０のＶ溝部４１と位相補償板金具３０の曲げリブ３１を接着にて固定する。
【００３４】
以上のように、本実施形態に係る位相補償板調整保持装置は、位相補償板２０を位相補償調整の回転軸の支点となる２つの折り曲げリブ３２を形成した位相補償板金具３０に固定し、出射偏光板６０を固定した出射偏光板金具４０のＶ溝部４１に折り曲げリブを勘合させることで位相補償板金具３０を保持させて、さらに、液晶パネルユニット７０を固定した液晶パネル金具５０に出射偏光板金具４０を勘合保持する構造としたことで、液晶パネル７１と出射偏光板６０の狭い空間に、位相補償板２０をあおり角調整可能にしながら作業性よく設置することが可能となる。
【００３５】
また、出射偏光板金具４０を液晶パネル金具５０にスライドして取り付ける際、出射偏光板金具４０を持つ平面部４３が広くて持ちやすく、液晶パネル金具５０と合わせた時に液晶パネル金具５０と合わせて強度を確保することができるように、液晶パネル金具５０の受け部５１が出射偏光板金具４０の平面４３の内側にあるため、強度の確保が可能である。
【００３６】
さらに、出射偏光板金具４０を液晶パネル金具５０に取り付ける際のスライド方向は、位相補償板金具３０の折り曲げリブ３２が出射偏光板金具４０のＶ溝部４１に仮置きする方向と同じ上下方向のため、液晶パネル金具５０へ取り付けるときに位相補償板金具３０が落ちにくく、取り付けることが可能である。
【産業上の利用可能性】
【００３７】
本発明にかかる位相補償板調整保持装置は、位相補償板を小さな隙間に傷つけることなく作業性が良く取り付けることができるものであり、位相補償板を有する液晶プロジェクタ等において有用である。
【図面の簡単な説明】
【００３８】
【図１】本発明の実施形態１における位相補償板調整保持装置の外観斜視図
【図２】本発明の実施形態１における位相補償板金具と位相補償板の取り付け状態における外観斜視図
【図３】本発明の実施形態１における出射偏光板金具と出射偏光板の取り付け状態における外観斜視図
【図４】本発明の実施形態１における出射偏光板を取り付けた出射偏光板金具に、位相補償板を取り付けた位相補償板金具を仮置きした状態の斜視図
【図５】本発明の実施形態１における液晶パネル金具と液晶パネルユニットの取り付け状態における外観斜視図
【図６】本発明の実施形態１における位相補償板金具を仮置きした出射偏光板金具を、液晶パネル金具に取り付ける状態における外観斜視図
【図７】従来技術に係る液晶プロジェクタの光学系レイアウトを示す構成図
【符号の説明】
【００３９】
１０    位相補償板調整保持装置
２０    位相補償板
３０    位相補償板金具
３１    枠体部
３２    折り曲げリブ
３３    調整取っ手
３４    くぼみ部
３５    調整回転軸
４０    出射偏光板金具
４１    Ｖ溝部
４２    切り込み部
４３    平面部
４４    接着孔
５０    液晶パネル金具
５１    受け部
５２    接着孔
６０    出射偏光板
７０    液晶パネルユニット
７１    液晶パネル
【図１】
2010054657.tif 000003
【図２】
2010054657.tif 000004
【図３】
2010054657.tif 000005
【図４】
2010054657.tif 000006
【図５】
2010054657.tif 000007
【図６】
2010054657.tif 000008
【図７】
2010054657.tif 000009